(57)【特許請求の範囲】
【請求項１】
複数のデータストリームで互いに異なる周波数のキャリアを変調して同時に送信し、該送信された信号を受信して復調し、上記複数のデータストリームを復元する送受信方法において、
同時に供給される複数のデータストリームのそれぞれを所定の時間間隔で区切り、上記時間間隔単位で時間軸圧縮する圧縮のステップと、
上記複数のデータストリームのそれぞれの区切られた位置を示す区切り信号を生成するステップと、
上記圧縮のステップにより得られた上記複数のデータストリームのそれぞれに対応する出力を上記所定の時間間隔単位内で繰り返す再送のステップと、
上記再送のステップにより得られた上記複数のデータストリームのそれぞれに対応する出力で互いに異なる周波数のキャリアを変調する変調のステップと、
上記区切り信号を生成するステップにより得られた上記区切り信号を送信すると共に、上記変調のステップにより得られた上記複数のデータストリームのそれぞれに対応する出力を同時に送信する送信のステップと、
上記送信のステップで上記送信された信号を受信し、該受信された上記信号の上記区切り信号と同期して上記互いに異なる周波数のキャリアに対応する周波数のキャリアを巡回的に切り替えるキャリア切り替えのステップと、
上記送信のステップで上記送信された信号を受信し、上記キャリア切り替えのステップにより得られた上記キャリアに基づき上記受信された上記信号を復調して、上記複数のデータストリームの互いに異なるデータストリームの出力を間欠的に得る復調のステップと、
上記復調のステップにより間欠的に得られた出力を上記キャリア切り替えと同期して上記複数のデータストリームに対応した複数の出力先に循環的に切り替える出力切り替えのステップと、
上記切り替えのステップにより得られた複数の出力のそれぞれを時間軸伸長する伸長のステップと
からなることを特徴とする送受信方法。
【請求項２】
複数のデータストリームで互いに異なる周波数のキャリアを変調して同時に送信する送信方法において、
同時に供給される複数のデータストリームのそれぞれを所定の時間間隔で区切り、上記時間間隔単位で時間軸圧縮する圧縮のステップと、
上記複数のデータストリームのそれぞれの区切られた位置を示す区切り信号を生成するステップと、
上記圧縮のステップにより得られた上記複数のデータストリームのそれぞれに対応する出力を上記所定の時間間隔単位内で繰り返す再送のステップと、
上記再送のステップにより得られた上記複数のデータストリームのそれぞれに対応する出力で互いに異なる周波数のキャリアを変調する変調のステップと、
上記区切り信号を生成するステップにより得られた上記区切り信号を送信すると共に、上記変調のステップにより得られた上記複数のデータストリームのそれぞれに対応する出力を同時に送信する送信のステップと
を有することを特徴とする送信方法。
【請求項３】
複数のデータストリームで互いに異なる周波数のキャリアを変調して同時に送信された信号を受信して復調し、上記複数のデータストリームを復元する受信方法において、
同時に供給される複数のデータストリームのそれぞれを所定の時間間隔で区切り、上記時間間隔単位で時間軸圧縮した上記複数のデータストリームのそれぞれに対応する出力を、上記所定の時間間隔単位内で繰り返し、得られた上記複数のデータストリームのそれぞれに対応する出力で、互いに異なる周波数のキャリアを変調して得られた上記複数のデータストリームのそれぞれに対応する出力を同時に送信すると共に、上記複数のデータストリームのそれぞれの区切られた位置を示す区切り信号を送信する送信部で送信された信号を受信し、該受信された上記信号の上記区切り信号と同期して上記互いに異なる周波数のキャリアに対応する周波数のキャリアを巡回的に切り替えるキャリア切り替えのステップと、
上記送信部で上記送信された信号を受信し、上記キャリア切り替えのステップにより得られた上記キャリアに基づき上記受信された上記信号を復調して、上記複数のデータストリームの互いに異なるデータストリームの出力を間欠的に得る復調のステップと、
上記復調のステップにより間欠的に得られた出力を上記キャリア切り替えと同期して上記複数のデータストリームに対応した複数の出力先に循環的に切り替える出力切り替えのステップと、
上記切り替えのステップにより得られた複数の出力のそれぞれを時間軸伸長する伸長のステップと
からなることを特徴とする受信方法。
【請求項４】
複数のデータストリームで互いに異なる周波数のキャリアを変調して同時に送信された信号を受信して復調し、上記複数のデータストリームを復元する受信装置において、
同時に供給される複数のデータストリームのそれぞれを所定の時間間隔で区切り、上記時間間隔単位で時間軸圧縮した上記複数のデータストリームのそれぞれに対応する出力を、上記所定の時間間隔単位内で繰り返し、得られた上記複数のデータストリームのそれぞれに対応する出力で、互いに異なる周波数のキャリアを変調して得られた上記複数のデータストリームのそれぞれに対応する出力を同時に送信すると共に、上記複数のデータストリームのそれぞれの区切られた位置を示す区切り信号を送信する送信装置で送信された信号を受信し、該受信された上記信号の上記区切り信号と同期して上記互いに異なる周波数のキャリアに対応する周波数のキャリアを巡回的に切り替えるキャリア切り替え手段と、
上記送信装置で上記送信された信号を受信し、上記キャリア切り替え手段により得られた上記キャリアに基づき上記受信された上記信号を復調して、上記複数のデータストリームの互いに異なるデータストリームの出力を間欠的に得る復調手段と、
上記復調手段により間欠的に得られた出力を上記キャリア切り替えと同期して上記複数のデータストリームに対応した複数の出力先に循環的に切り替える出力切り替え手段と、
上記切り替え手段により得られた複数の出力のそれぞれを時間軸伸長する伸長手段と
からなることを特徴とする受信装置。
【発明の詳細な説明】
【０００１】
【発明の属する技術分野】
この発明は、複数の互いに異なるチャンネルの電波を同時に受信できるような送受信方法、送信方法、受信方法および受信装置に関する。
【０００２】
【従来の技術】
現在、放送局から送信された電波を、通信衛星や放送衛星を介して受信するような、衛星放送が普及しつつある。このような衛星放送では、音声および映像信号がディジタル化されデータストリームとされる。このデータストリームは、分割され、パケットに詰め込まれる。パケットが連続したものは、トランスポートストリームと称される。トランスポートストリームは、所定の周波数帯域で変調され、通信衛星あるいは放送衛星（以下、これらをまとめて「衛星」と略称する）に対して送信される。
【０００３】
衛星には、トランスポンダと称される中継器が複数搭載される。トランスポンダのそれぞれは、互いに異なる周波数帯域をカバーする。したがって、１つの衛星で以て、互いに周波数帯域の異なる複数の放送を同時に中継することができる。上述の送信電波は、対応する周波数帯域を有するトランスポンダによって中継され、受信機に受信される。
【０００４】
衛星放送の受信において、放送に対する条件付きアクセスを実現するために、ＩＲＤ(Integrated Receiver Decoder) が用いられる。このＩＲＤは、受信トランスポンダを指定するチューナ、復調部、スクランブルを解くデスクランブル部、分離するパケットを指定するデマルチプレクサ、画像復号部、音声復号部などにより構成され、例えばユーザに対する選択的な番組の供給の制御を行う。
【０００５】
【発明が解決しようとする課題】
従来では、１つの衛星によって中継された、互いに異なる周波数帯域で以て伝送された２つの放送を同時に受信しようとした場合、２つの異なる周波数帯域による放送電波を復調するために、２つのチューナを設ける必要があったという問題点があった。
【０００６】
したがって、この発明の目的は、異なる周波数帯域の放送電波を１つのチューナで同時に受信できるような送受信方法、送信方法、受信方法および受信装置を提供することにある。
【０００７】
【課題を解決するための手段】
この発明は、上述した課題を解決するために、複数のデータストリームで互いに異なる周波数のキャリアを変調して同時に送信する送信方法において、同時に供給される複数のデータストリームのそれぞれを所定の時間間隔で区切り、時間間隔単位で時間軸圧縮する圧縮のステップと、複数のデータストリームのそれぞれの区切られた位置を示す区切り信号を生成するステップと、圧縮のステップにより得られた複数のデータストリームのそれぞれに対応する出力を所定の時間間隔単位内で繰り返す再送のステップと、再送のステップにより得られた複数のデータストリームのそれぞれに対応する出力で互いに異なる周波数のキャリアを変調する変調のステップと、区切り信号を生成するステップにより得られた区切り信号を送信すると共に、変調のステップにより得られた複数のデータストリームのそれぞれに対応する出力を同時に送信する送信のステップとを有することを特徴とする送信方法である。
【０００８】
また、この発明は、上述した課題を解決するために、複数のデータストリームで互いに異なる周波数のキャリアを変調して同時に送信し、送信された信号を受信して復調し、複数のデータストリームを復元する送受信方法において、同時に供給される複数のデータストリームのそれぞれを所定の時間間隔で区切り、時間間隔単位で時間軸圧縮する圧縮のステップと、複数のデータストリームのそれぞれの区切られた位置を示す区切り信号を生成するステップと、圧縮のステップにより得られた複数のデータストリームのそれぞれに対応する出力を所定の時間間隔単位内で繰り返す再送のステップと、再送のステップにより得られた複数のデータストリームのそれぞれに対応する出力で互いに異なる周波数のキャリアを変調する変調のステップと、区切り信号を生成するステップにより得られた区切り信号を送信すると共に、変調のステップにより得られた複数のデータストリームのそれぞれに対応する出力を同時に送信する送信のステップと、送信のステップで送信された信号を受信し、受信された信号の区切り信号と同期して互いに異なる周波数のキャリアに対応する周波数のキャリアを巡回的に切り替えるキャリア切り替えのステップと、送信のステップで送信された信号を受信し、キャリア切り替えのステップにより得られたキャリアに基づき受信された信号を復調して、複数のデータストリームの互いに異なるデータストリームの出力を間欠的に得る復調のステップと、復調のステップにより間欠的に得られた出力をキャリア切り替えと同期して複数のデータストリームに対応した複数の出力先に循環的に切り替える出力切り替えのステップと、切り替えのステップにより得られた複数の出力のそれぞれを時間軸伸長する伸長のステップとからなることを特徴とする送受信方法である。
また、この発明は、複数のデータストリームで互いに異なる周波数のキャリアを変調して同時に送信された信号を受信して復調し、複数のデータストリームを復元する受信方法において、同時に供給される複数のデータストリームのそれぞれを所定の時間間隔で区切り、時間間隔単位で時間軸圧縮した複数のデータストリームのそれぞれに対応する出力を、所定の時間間隔単位内で繰り返し、得られた複数のデータストリームのそれぞれに対応する出力で、互いに異なる周波数のキャリアを変調して得られた複数のデータストリームのそれぞれに対応する出力を同時に送信すると共に、複数のデータストリームのそれぞれの区切られた位置を示す区切り信号を送信する送信部で送信された信号を受信し、受信された信号の区切り信号と同期して互いに異なる周波数のキャリアに対応する周波数のキャリアを巡回的に切り替えるキャリア切り替えのステップと、送信部で送信された信号を受信し、キャリア切り替えのステップにより得られたキャリアに基づき受信された信号を復調して、複数のデータストリームの互いに異なるデータストリームの出力を間欠的に得る復調のステップと、復調のステップにより間欠的に得られた出力をキャリア切り替えと同期して複数のデータストリームに対応した複数の出力先に循環的に切り替える出力切り替えのステップと、切り替えのステップにより得られた複数の出力のそれぞれを時間軸伸長する伸長のステップとからなることを特徴とする受信方法である。
また、この発明は、複数のデータストリームで互いに異なる周波数のキャリアを変調して同時に送信された信号を受信して復調し、複数のデータストリームを復元する受信装置において、同時に供給される複数のデータストリームのそれぞれを所定の時間間隔で区切り、時間間隔単位で時間軸圧縮した複数のデータストリームのそれぞれに対応する出力を、所定の時間間隔単位内で繰り返し、得られた複数のデータストリームのそれぞれに対応する出力で、互いに異なる周波数のキャリアを変調して得られた複数のデータストリームのそれぞれに対応する出力を同時に送信すると共に、複数のデータストリームのそれぞれの区切られた位置を示す区切り信号を送信する送信装置で送信された信号を受信し、受信された信号の区切り信号と同期して互いに異なる周波数のキャリアに対応する周波数のキャリアを巡回的に切り替えるキャリア切り替え手段と、送信装置で送信された信号を受信し、キャリア切り替え手段により得られたキャリアに基づき受信された信号を復調して、複数のデータストリームの互いに異なるデータストリームの出力を間欠的に得る復調手段と、復調手段により間欠的に得られた出力をキャリア切り替えと同期して複数のデータストリームに対応した複数の出力先に循環的に切り替える出力切り替え手段と、切り替え手段により得られた複数の出力のそれぞれを時間軸伸長する伸長手段とからなることを特徴とする受信装置である。
【０００９】
上述したように、この発明は、複数のデータストリームのそれぞれが所定の時間間隔に区切られ、所定の時間間隔単位で時間軸圧縮され、圧縮されたデータが所定の時間間隔単位内で繰り返され、複数のデータストリームのそれぞれについて互いに異なるキャリア周波数で送信される。受信時には、受信信号の所定の時間間隔の区切りに基づき復調時のキャリア周波数が切り替えられると共に、復調出力が互いに異なるキャリア周波数毎に巡回的に切り替えられるようにされている。そのため、１つのチューナを有する受信装置で互いに異なるキャリア周波数を有する複数のチャンネルを同時に受信することができる。
【００１０】
【発明の実施の形態】
以下、この発明の実施の一形態について説明する。図１および図２は、この実施の一形態による送受信システムの構成の一例を示す。図１に示される送信装置１において、複数のデータのそれぞれで互いに異なる周波数のキャリアを変調し複数チャンネルの信号とされる。これら複数チャンネルの信号は、通信路３０に対して同時に送信される。送信されたこれらの信号は、図２に示される受信装置２によって並列的に受信され、チャンネル毎の出力を得る。
【００１１】
図１において、送信装置１に対して、ベースバンド信号として複数のデータストリーム（データストリームＰ，Ｑ，およびＲとする）が供給される。これらのデータストリームは、図３Ａに示されるように、所定の時間間隔で区切られる。区切られた各区間をセグメントスロットと称する。すなわち、セグメントスロットは、この所定の時間間隔で切り替わる。データストリームＰについて説明すると、セグメントスロットに区切られ、区切られたセグメントスロット毎に、順にデータ１，データ２，データ３，・・・とされたデータストリームＰが送信装置１の圧縮回路１０ａに対して供給される。
【００１２】
圧縮回路１０ａでは、供給されたデータストリームＰを、セグメントスロット毎に、所定の方法で以て時間軸方向に圧縮する。図３Ｂに示されるように、データストリームＰは、セグメントスロット毎に圧縮されるため、各セグメントスロットにおいて時間軸方向にブランク部分が生じる。この例では、各セグメントスロットのデータが時間軸に対して１／６に圧縮されている。なお、この圧縮率は１／６に限られず、他の値を選択することもできる。この圧縮回路１０ａの出力がコーディング／再送回路１１ａに供給される。
【００１３】
コーディング／再送回路１１ａは、コーディング部および再送部とからなる。供給された圧縮データは、先ず、コーディング部において符号化される。この符号化には、例えばＭＰＥＧ(Moving Picture Experts Group)２方式が用いられる。コーディング部で符号化された圧縮データは、再送部に供給され、セグメントスロット毎に所定の回数だけ繰り返されコーディング／再送回路１１ａから出力される。図３Ｃは、この出力信号を概略的に示す。このように、各セグメントスロットに対して、そのスロットに対応した圧縮データが繰り返される。これは、送信の側から見れば、同一の圧縮データが複数回、再送されることになる。例えば、図３Ａでデータ１とされたセグメントスロットには、図３Ｃに示されるように、データ１が圧縮された圧縮データ１が繰り返される。繰り返しの回数は、圧縮回路１０ａの圧縮率に対応して決めると好ましい。圧縮率が１／６であるこの例では、繰り返し回数は６回とされる。
【００１４】
なお、以降この圧縮データ毎の区切りの区間を、圧縮スロットと称する。この圧縮スロットの区切りは、データの面から見ると、信号源におけるセグメントスロットの区切りに対応している。
【００１５】
コーディング／再送回路１１ａの出力が変調回路１２ａに供給される。変調回路１１ａでは、供給されたデータで周波数ｆｃ1 のキャリアを変調し、出力する。この変調回路１１ａの出力を、チャンネルＣｈ１の信号とする。チャンネルＣｈ１の信号がマルチプレクサ（ＭＵＸ）１３に供給される。
【００１６】
一方、データストリームＱおよびＲに対しても、このデータストリームＰと同様な処理がなされる。すなわち、図４Ａに示されるように、データストリームＱがセグメントスロットに区切られ圧縮回路１０ｂに供給される。圧縮回路１０ｂの出力（図４Ｂ）がコーディング／再送回路１１ｂに供給され、所定の方式で符号化され、セグメントスロット毎に圧縮データが繰り返される。すなわち、図４Ａに示されるようにセグメントスロット毎にデータＡ，Ｂ，Ｃ，・・・とされたデータが時間軸圧縮され繰り返され、図４Ｃのように、各セグメントスロット毎に対応する圧縮データが繰り返され配され、圧縮スロットとされる。コーディング／再送回路１１ｂの出力は、周波数ｆｃ2 のキャリアを変調する変調回路１２ｂに供給される。変調回路１２ｂで変調された圧縮データは、チャンネルＣｈ２の信号とされマルチプレクサ１３に供給される。
【００１７】
データストリームＲについても、処理は上述のストリームＰおよびＱと同様である。データストリームＲは、図５Ａに示されるように、セグメントスロット毎にデータａ，ｂ，ｃ，・・・とされ、圧縮回路１０ｃによって図５Ｂに示されるようなデータとされ、コーディング／再送回路１１ｃで圧縮データが繰り返され、図５Ｃに示されるように圧縮スロットとされる。コーディング／再送回路１１ｃの出力が変調回路１２ｃに供給され、周波数ｆｃ3 のキャリアを変調し、チャンネルＣｈ３の信号とされマルチプレクサ１３に供給される。
【００１８】
なお、コーディング／再送回路１１ａ，１１ｂ，および１ｃでの符号化は、それぞれ同一の方式によるものに限られない。例えば、回路１１ａおよび１１ｂでは、それぞれＭＰＥＧ２およびＭＰＥＧ１で以て符号化を行ない、回路１１ｃでは符号化を行なわないようにすることも可能である。この符号化の情報は、図１中ではその経路が省略されているが、マルチプレクサ１３に供給される。
【００１９】
マルチプレクサ１３は、図示しないが、送信回路を有し、変調回路１２ａ，１２ｂ，および１２ｃからそれぞれ供給されたチャンネルＣｈ１，Ｃｈ２，およびＣｈ３の信号は、この送信回路によって、それぞれのキャリア周波数で以て、通信路３０に対して送信される。各チャンネルの信号は、互いにセグメントスロットで同期させると、受信側の処理が簡易になり好ましい。
【００２０】
なお、送信する際に、圧縮スロットの切り替わりの位置に対応して、所定のマーカ、例えば所定のパルス信号や無信号状態の信号（所定期間のレベル０の信号など）を付加させると、受信側で圧縮スロットの切り替わりを検出し易くなり、好ましい。それと共に、送信の際に、コーディング／再送回路１１ａ，１１ｂ，および１１ｃによる符号化情報を、それぞれ対応する信号に対して付加させることによって、受信側で様々な符号化方式に対応することができ好ましい。
【００２１】
通信路３０は、例えば通信衛星あるいは放送衛星を介するもので、送信された信号は、それぞれのキャリア周波数に対応したトランスポンダで以て伝送される。勿論、同一のトランスポンダの異なるチャンネルで伝送するようにできる。また、通信路３０は、地上波によるものでも良く、さらに、有線によるものも適用可能である。
【００２２】
通信路３０を介して送信された信号は、図２に示される受信装置２に受信される。信号が電波によって送信された場合には、図示されないアンテナによって受信される。また、有線によって送信された場合には、図示されないモデムや所定のインターフェイスによって受信される。
【００２３】
受信された信号は、復調回路２１に供給されると共に、スロット検出回路２０に供給される。スロット検出回路２０では、受信された信号から、圧縮スロットの切り替わりを検出する。この圧縮スロットの切り替わりの位置は、圧縮スロット毎の区切りに対応する。この検出結果は、チャンネルチェンジャ２３に供給される。チャンネルチェンジャ２３から復調回路２１に対して、周波数ｆｃ＿ｖａｒのキャリアが供給される。周波数ｆｃ＿ｖａｒは、スロット検出回路２０の検出結果に基づき、圧縮スロットが切り替わる毎に、巡回的に周波数ｆｃ1 ，ｆｃ2 ，およびｆｃ3 と切り替わる。
【００２４】
スロット検出回路２０による検出方法の一例として、スロット検出回路２０は、同調周波数が例えばチャンネルＣｈ１に対応する周波数ｆｃ1 に固定された簡易なチューナを有し、供給された信号に対して付加された、圧縮スロットの切り替わりを示すマーカを検出する。
【００２５】
復調回路２１は、所定の同調周波数で以て受信を行なうチューナ部と、受信された信号を復調する復調部とを有し（図示しない）、信号の受信と復調とを行なう。復調回路２１では、チャンネルチェンジャ２３から供給されるキャリア（キャリア周波数ｆｃ＿ｖａｒ）を用いて復調を行なう。これにより、復調回路２１では、圧縮スロット毎に巡回的にキャリア周波数が切り替わり、各チャンネルＣｈ１，Ｃｈ２，およびＣｈ３毎に、圧縮スロット単位で受信と復調とが行なわれる。
【００２６】
実際には、キャリア周波数の切り替わりに伴い回路が安定するまでにある程度の時間を要するため、信号の欠落が生じる。したがって、各チャンネルＣｈ１，Ｃｈ２，およびＣｈ３の信号が圧縮スロット単位で順番に、間欠的に受信される。例えば、上述の図３Ｃ，図４Ｃ，および図５Ｃにそれぞれ○印で示された圧縮スロットが受信される。受信された信号は、それぞれ復調され、出力される。
【００２７】
図６は、この復調回路２１の出力を概略的に示す。図に示されるように、圧縮データ１，ブランク，圧縮データＡ，ブランク，圧縮データａ，ブランク，圧縮データ２，ブランク，圧縮データＢ，・・・というように、各チャンネルＣｈ１，Ｃｈ２，およびＣｈ３の信号が圧縮スロット単位で順番に、間欠的に復調回路２１から出力される。
【００２８】
復調回路２１の出力は、多目的デコーダ２２に供給される。上述のスロット検出回路２０では、受信信号に付加された符号化情報の検出も行なわれる。この符号化情報は、チャンネルチェンジャ２３を介して多目的デコーダ２２に供給される。多目的デコーダ２２は、各種の復号化のプロセスを有し、供給された符号化情報に基づき、対応する方式で以て復調回路２１の出力の復号化を行なう。
【００２９】
多目的デコーダ２２の出力がデマルチプレクサ２４に供給される。このデマルチプレクサ２４は、例えば図２に示されるように、３つの出力端２４ａ，２４ｂ，および２４ｃを有するスイッチ回路として構成される。このスイッチ回路は、上述の、スロット検出回路２０で検出され、チャンネルチェンジャ２３を介して供給された、圧縮スロットの切り替わりの検出結果に基づき切り替えられる。このデマルチプレクサ２４で、各チャンネルＣｈ１，Ｃｈ２，およびＣｈ３毎に分配された圧縮スロットは、それぞれ時間軸伸長／出力処理回路２５ａ，２５ｂ，および２５ｃに供給される。
【００３０】
時間軸伸長／出力処理回路２５ａ，２５ｂ，および２５ｃは、時間軸伸長部と出力処理部とからなる。時間軸伸長部では、送信装置１の圧縮回路１０ａ，１０ｂ，および１０ｃでなされた時間軸圧縮に対応する時間軸伸長を行なう。各チャンネルＣｈ１，Ｃｈ２，およびＣｈ３の信号は、回路２５ａ，２５ｂ，および２５ｃのそれぞれにおいて時間軸伸長されベースバンド信号に戻される。これらの信号は、所定の信号処理を施され、それぞれチャンネルＣｈ１出力，チャンネルＣｈ２出力，チャンネルＣｈ３出力とされ出力される。
【００３１】
このように、この発明を用いることによって、１つのチューナでキャリア周波数が異なる多数のチャンネルを並行して受信することができる。したがって、例えば親画面の中に別の映像領域である子画面を表示可能として、１つの画面内に親画面と子画面の２つの画面を表示させる、所謂ピクチャ・イン・ピクチャ（以下、「ＰｉｎＰ」と略称する）技術や、１つの画面を左右に分割してそれぞれ主画面と副画面とし、それぞれ異なる映像を映出させる、所謂ピクチャ・アンド・ピクチャ（以下、「Ｐ＆Ｐ」と略称する）に対してこの発明を適用することができる。
【００３２】
このＰｉｎＰが適用されたテレビジョン受像機では、従来では例えばチューナが２台設けられ、親画面と子画面とで別々のチャンネルの映像が映出された。このようなテレビジョン受像機を用いることで、ユーザは、自分が現在選択しているチャンネルを親画面に表示させると共に、他のチャンネルを子画面に表示させ、親画面と子画面とを同時に見ることができる。また、Ｐ＆Ｐが適用されたテレビジョン受像機においても、従来では、例えばチューナが２台設けられ、これら主画面と副画面とで別々のチャンネルの映像が映出される。
【００３３】
テレビジョン放送を、この実施の一形態による送信装置１の構成に基づいて放送し、テレビジョン受像機に対して受信装置２の構成を適用することによって、１つのチューナを備えたテレビジョン受像機で、上述のＰｉｎＰやＰ＆Ｐ機能を実現することが可能とされる。
【００３４】
また、送信装置１において、データストリームＰをオーディオデータ、データストリームＱをビデオデータ、データストリームＲを例えばプログラム・データなどのバイナリデータといったように、チャンネルＣｈ１，Ｃｈ２，およびＣｈ３のそれぞれに対して異なった種類のデータを伝送させることもできる。このように伝送されたデータは、デマルチプレクサ２４で分離され出力される。チャンネルＣｈ１のオーディオデータは、時間軸伸長／出力処理回路２５ａで所定の処理がなされ、例えばスピーカによって再生される。同様に、チャンネルＣｈ２のビデオデータは、ディスプレイ装置などに供給され、映像の映出がなされる。また、チャンネルＣｈ３のバイナリデータは、例えばハードディスクといった記録媒体に書き込まれる。
【００３５】
なお、上述では、データストリームを、セグメントスロット毎に時間軸圧縮して順番に再送したが、これはこの例に限定されない。リアルタイム性が無く、時系列が特に問題にされないデータストリームの伝送、例えばプログラム・データの伝送では、時間軸圧縮ならびに伸長が必須というわけではない。さらに、この場合、出力段でデータの並び換えを行なう操作が可能である。そのため、幾つかのセグメントをまとめて、１つの繰り返し周期で再送し送信しても、受信側においてデータの復元が可能とされる。
【００３６】
また、上述では、送信装置１において圧縮回路１０ａの後段にコーディング／再送回路１１ａが配置され、時間軸圧縮を行なってから符号化を行なっていたが、これはこの例に限定されるものではない。例えば、データストリームＰで、コーディング／再送回路１１ａをコーディング回路１１ａ’と再送回路１１ａ”とに分離し、コーディング回路１１ａ’の後段に圧縮回路１０ａを設け、その後段に再送回路１１ａ”を設けるようにしてもよい。データストリームＰは、コーディング回路１１ａ’に供給され、先ず、符号化される。
【００３７】
この場合には、受信装置２においても対応して構成が変更され、時間軸伸長／出力処理回路２５ａが時間軸伸長回路２５ａ’と出力処理回路２５”とに分離され、多目的デコーダ２２の替わりに時間軸伸長回路２５ａ’が配される。そして、デマルチプレクサ２４の出力端２４ａが多目的デコーダ２２が接続され、デコーダ２２の出力が出力処理回路２５”に供給される。
【００３８】
【発明の効果】
以上説明したように、この発明によれば、送信装置において、複数のキャリア周波数のそれぞれにおいて、データストリームがセグメントスロット毎に時間軸圧縮され、同一のデータが繰り返し再送される。また、受信装置２では、時間軸圧縮され送信されたセグメントスロットに対応して受信チャンネルが切り替えられる。そのため、１つのチューナで、互いにキャリア周波数が異なる複数のチャンネルを、並行して受信することができる効果がある。
【図面の簡単な説明】
【図１】この実施の一形態による送信装置の構成の一例を示すブロック図である。
【図２】この実施の一形態による受信装置の構成の一例を示すブロック図である。
【図３】送信装置および受信装置で扱われるデータの一例を概略的に示す略線図である。
【図４】送信装置および受信装置で扱われるデータの一例を概略的に示す略線図である。
【図５】送信装置および受信装置で扱われるデータの一例を概略的に示す略線図である。
【図６】復調回路の出力を概略的に示す略線図である。
【符号の説明】
１０ａ，１０ｂ，１０ｃ・・・圧縮回路、１１ａ，１１ｂ，１１ｃ・・・コーディング／再送回路、１２ａ，１２ｂ，１２ｃ・・・変調回路、１３・・・マルチプレクサ、２０・・・スロット検出回路、２１・・・復調回路、２２・・・多目的デコーダ、２３・・・チャンネルチェンジャ
【図１】
0003796899.tif 000002
【図２】
0003796899.tif 000003
【図３】
0003796899.tif 000004
【図４】
0003796899.tif 000005
【図５】
0003796899.tif 000006
【図６】
0003796899.tif 000007